【事件の表示】
　特願２００４−３８５８９号「遊技機」拒絶査定不服審判事件〔平成１７年８月２５日出願公開、特開２００５−２２４５１２号〕について、次のとおり審決する。
【結　論】
　本件審判の請求は、成り立たない。
【理　由】
１　手続の経緯
　本件に係る出願（以下「本願」という。）は、平成１６年２月１６日の特許出願であって、平成２４年５月１６日付けで拒絶査定がなされ（発送日：同年５月２２日）、これに対し、同年７月１０日に拒絶査定不服審判の請求がなされたものである。
　そして、平成２５年４月２４日付けで当審にて拒絶理由通知がなされ、同年７月２日付けで手続補正がなされたものである。
　
２　本願発明について
　本願の請求項１に係る発明（以下「本願発明」という。）は、平成２５年７月２日付け手続補正書により補正された明細書及び図面の記載からみて、その特許請求の範囲の請求項１に記載された事項により特定される次のとおりのものである。
　「所定の始動信号の入力に基づき、大当たりまたははずれの抽選を行う大当たり抽選手段と、
　該大当たり抽選手段による抽選結果が大当たりである場合に、遊技者に所定の大当たり遊技を提供する大当たり遊技提供手段と、を備えた遊技機であって、
　当該遊技機による遊技の期間である遊技期間を計測する期間計測手段と、
　該期間計測手段による計測値が所定値に到達した以降、遊技者に所定の特典（前記大当たり抽選手段の抽選結果により提供される大当たり遊技を除く）を提供するかの抽選を行う特典抽選手段と、
　該特典抽選手段による抽選結果が特典を提供する旨となった場合に、遊技者に所定の特典を提供する特典提供手段と、
　前記所定値を抽選により決定する所定値決定手段と、
を備えている
　ことを特徴とする遊技機。」
　
３　刊行物について
　当審による拒絶の理由に引用され、本願の出願前に頒布された刊行物である特開２００３−１８０９９８号公報（以下「刊行物」という。）には、図面と共に以下の事項が記載されている。
　ア　「【請求項１】始動入賞口に遊技球が入賞すると、複数の図柄を変動表示する図柄変動表示装置と、抽選用の乱数を取得して大当たりの抽選を行なう大当たり抽選手段と、を具備し、大当たり抽選手段の抽選により大当たりが発生し、該図柄変動表示装置の図柄が予め決められた配列に揃って停止したとき、大当たり状態となるパチンコ遊技機において、
遊技者に大当たりとは別の特典を付与する
特典抽選を行う特典抽選手段
該
特典抽選手段の抽選により特典付与可能な状態になった
該
特典抽選手段の抽選により特典付与可能な状態で
大当たりとなったとき、大当たり処理の後に、遊技者に有利な特典を付与する処理を行う特典付与手段と
を備えた
パチンコ遊技機
・・・
【請求項４】前記特典として、次回の大当たり抽選時に大当たりとなる確率を通常時より高く設定することを特徴とする請求項１記載のパチンコ遊技機。」（【特許請求の範囲】。下線は当審にて付与。以下同様。）
　イ　「【発明の属する技術分野】本発明は、始動入賞口に球が入賞すると、複数の図柄が変動表示され、大当たり抽選により大当たりが発生し、図柄が予め決められた配列に揃って停止した時、遊技者にとって有利な大当たり状態を発生させるパチンコ遊技機に関する。なお、この明細書における「大当たり」とは、特定の入賞口が開口して多くの遊技球が入賞可能な特別遊技状態を意味するものである。」（段落【0001】）
　ウ　「【発明が解決しようとする課題】また、この種のパチンコ遊技機では、特別遊技状態となる図柄の組み合わせが例えば「７７７」のように予め決められた図柄の組み合わせになった場合、次回の大当たりとなる抽選時の当選確率を高くする確率変動などの特典を付与することが行われている。
　このような特別遊技状態と特典付与の抽選は、通常、演算処理装置における乱数発生手段を使用して行われ、演算処理部で乱数を取得し、その乱数が予め設定された数値であった場合、特別遊技状態とし、或いは特別遊技状態と特典付与を行うように処理される。
　したがって、遊技球が始動入賞口に入って、図柄変動表示装置が図柄の変動表示を開始し、抽選が行われたときに、大当たりとなるか否かと特典付与になるか否かが決定されてしまうため、つまり、大当たり抽選と特典付与抽選が同時に行われ、図柄変動表示装置の停止図柄によりその特典付与の有無が決まってしまうため、遊技者にとっては、特典付与が大当たりの付属品のようなものとなって、面白みにかけ、期待感を持って遊技を楽しむことができにくい問題があった。
　本発明は、上記の点に鑑みてなされたもので、大当たり時の特典付与の期待感を遊技者に大きく感じさせ、遊技者のパチンコゲームへの興趣を向上させることができるパチンコ遊技機を提供することを目的とする。」（段落【0003】〜【0006】）
　エ　「一方、
大当たり抽選とは別個に、特典抽選手段が大当たりとは別の遊技者に有利な特典を付与するか否かの抽選を行い
　オ　「次に、上記構成のパチンコ遊技機の動作を図３、図４のフローチャートを参照して説明する。パチンコゲームの遊技中に、
遊技球が始動入賞口１３に入賞すると
ＣＰＵ２０は
乱数発生器から大当たり抽選用の乱数を取得して大当たり抽選を行う
　次に、
ＣＰＵ２０は
大当たり用の乱数と判定した場合には
　上記ステップ１３０で、特典付与フラグがオフの状態にあると判定したときには、ステップ１６０に進み、
所定の大当たり処理を行う
　一方、ステップ１３０で、特典付与フラグがオンにセットされていると判定した場合、次にステップ１４０に進み、大当たり処理を行った後、ステップ１５０にて、特典付与の処理を実行する。ここで、特典付与処理としては、例えば、
次回の大当たり抽選時に大当たりとなる確率を通常時より高く設定するような処理
　また、ステップ１４０または１６０の大当たり処理としては、変動表示する図柄変動表示装置の３列の表示を、予め決められた大当たり用の図柄に揃えて停止させると共に、ＣＰＵ２０は可変入賞装置１１に制御信号を送って、開閉部材１１ａを開閉動作させ、大入賞口としての可変入賞装置１１を開口させ、遊技球の入賞を促進させる。また、大当たりとなった場合、ＣＰＵ２０は装飾用ランプを点滅表示し、音声を出力するなどして、予め決められた大当たりのための演出処理を実行する。
　一方、
ＣＰＵ２０は、所定時間間隔で割り込み処理を行うタイマー割り込みルーチンにおいて
特典付与フラグのセット・リセット処理を行う
乱数発生器から乱数を取得して、特典付与の有無を決めるための抽選を行う
　そして、ステップ２２０にて、特典付与を行うか否かを判定し、
特典付与用の乱数が取得されて特典付与を行うと判定した場合
特典付与フラグをオンにセットする
　カ　「このように、特典を付与するか否かの決定が、大当たり抽選とは異なる処理つまり異なる時点で実施され、特典付与が抽選により決定された場合、それを遊技者に報知し、所定の時間内に或いは始動入賞の所定回数内に大当たりが発生した場合には、その後に、遊技者に有利な特典、例えば次回に発生する大当たりの確率が極めて高くなる、或いは入賞口の羽根の開き回数や開放時間が多くなるような特典が付与されるから、遊技者は、特典付与可能状態になった場合、大きな期待感を持ってパチンコ遊技を今まで以上に楽しむことができる。
　なお、本発明は上記実施例に限定されるものではなく、以下のような実施形態でも実施可能である。
　上記では、
特典付与の抽選結果に基づく特典付与フラグのセット・リセット処理は
所定時間毎に実行するタイマー割り込み処理で行ったが
始動入賞口へ遊技球が入賞し図柄変動表示装置の図柄が変動する回数が所定の値になったとき
処理を実行する
　キ　上記オ及びカの記載事項によると、ＣＰＵ２０が、特典付与の抽選結果に基づく特典付与フラグのセット・リセット処理を実行するために、始動入賞口へ遊技球が入賞し図柄変動表示装置の図柄が変動する回数が所定の値になったか否かを判断することが示されている。
　
　上記記載事項ア〜カ、上記キの認定事項、及び、図面の図示内容を総合勘案すると、刊行物には次の発明が記載されていると認められる。
「ＣＰＵ２０は、遊技球が始動入賞口１３に入賞すると乱数発生器から大当たり抽選用の乱数を取得して大当たり抽選を行い、
　ＣＰＵ２０は、大当たり用の乱数と判定した場合に、大当たり処理を行う、パチンコ遊技機であって、
　ＣＰＵ２０は、特典付与の抽選結果に基づく特典付与フラグのセット・リセット処理を実行するために、始動入賞口へ遊技球が入賞し図柄変動表示装置の図柄が変動する回数が所定の値になったか否かを判断し、
　始動入賞口へ遊技球が入賞し図柄変動表示装置の図柄が変動する回数が所定の値になると、大当たり抽選とは別個に、特典抽選手段が大当たりとは別の遊技者に有利な特典を付与するか否かの抽選を行う特典抽選手段と、
　特典付与を行うと判定された場合、特典付与フラグをオンにセットし、大当たりとなったとき、大当たり処理の後に、次回の大当たり抽選時に大当たりとなる確率を通常時より高く設定する処理を行う特典付与手段とを備えたパチンコ遊技機。」
　
４　対比
　刊行物に記載された発明と本願発明とを対比する。
　刊行物に記載された発明の「ＣＰＵ２０は、遊技球が始動入賞口１３に入賞すると乱数発生器から大当たり抽選用の乱数を取得して大当たり抽選を行」うことは、ＣＰＵ２０が、抽選を行う手段として機能することから、本願発明の「所定の始動信号の入力に基づき、大当たりまたははずれの抽選を行う大当たり抽選手段」に相当し、
　刊行物に記載された発明の「ＣＰＵ２０は、大当たり用の乱数と判定した場合に、大当たり処理を行う」ことは、ＣＰＵ２０が、大当たり処理を行う手段として機能することから、本願発明の「該大当たり抽選手段による抽選結果が大当たりである場合に、遊技者に所定の大当たり遊技を提供する大当たり遊技提供手段」に相当し、
　刊行物に記載された発明の「パチンコ遊技機」は、本願発明の「遊技機」に相当する。
　
　ここで、刊行物に記載された発明の「ＣＰＵ２０は、特典付与の抽選結果に基づく特典付与フラグのセット・リセット処理を実行するために、始動入賞口へ遊技球が入賞し図柄変動表示装置の図柄が変動する回数が所定の値になったか否かを判断」することと、本願発明の「当該遊技機による遊技の期間である遊技期間を計測する期間計測手段」とを対比する。
　本願明細書の発明の詳細な説明の「遊技者による遊技期間を計測する手段であって、例えば、大当たり抽選手段による抽選回数（または、
始動信号の入力回数
　一方、刊行物に記載された発明では、「始動入賞口へ遊技球が入賞し図柄変動表示装置の図柄が変動する回数」を計測するものであるから、ＣＰＵが、始動入賞口への遊技球の入賞回数をカウントすることにより、遊技期間を計測する手段として機能するといえる。
　そうすると、刊行物に記載された発明の「ＣＰＵ２０は、特典付与の抽選結果に基づく特典付与フラグのセット・リセット処理を実行するために、始動入賞口へ遊技球が入賞し図柄変動表示装置の図柄が変動する回数が所定の値になったか否かを判断」することは、本願発明の「遊技機による遊技の期間である遊技期間を計測する期間計測手段」に相当する。
　
　そして、刊行物に記載された発明の「始動入賞口へ遊技球が入賞し図柄変動表示装置の図柄が変動する回数が所定の値になると、大当たり抽選とは別個に、特典抽選手段が大当たりとは別の遊技者に有利な特典を付与するか否かの抽選を行う特典抽選手段」は、次回の大当たり抽選時に大当たりとなる確率を通常時より高く設定する処理を行う特典を遊技者に付与するものであるから、本願発明の「期間計測手段による計測値が所定値に到達した以降、遊技者に所定の特典（大当たり抽選手段の抽選結果により提供される大当たり遊技を除く）を提供するかの抽選を行う特典抽選手段」に相当し、
　刊行物に記載された発明の「特典付与を行うと判定された場合、特典付与フラグをオンにセットし、大当たりとなったとき、大当たり処理の後に、次回の大当たり抽選時に大当たりとなる確率を通常時より高く設定するような処理を行う特典付与手段」は、その構成及び機能からみて、本願発明の「特典抽選手段による抽選結果が特典を提供する旨となった場合に、遊技者に所定の特典を提供する特典提供手段」に相当する。
　
　したがって、上記両者の一致点および相違点は、次のとおりである。
［一致点］
「所定の始動信号の入力に基づき、大当たりまたははずれの抽選を行う大当たり抽選手段と、
　該大当たり抽選手段による抽選結果が大当たりである場合に、遊技者に所定の大当たり遊技を提供する大当たり遊技提供手段と、を備えた遊技機であって、
　当該遊技機による遊技の期間である遊技期間を計測する期間計測手段と、
　該期間計測手段による計測値が所定値に到達した以降、遊技者に所定の特典（前記大当たり抽選手段の抽選結果により提供される大当たり遊技を除く）を提供するかの抽選を行う特典抽選手段と、
　該特典抽選手段による抽選結果が特典を提供する旨となった場合に、遊技者に所定の特典を提供する特典提供手段と、
　を備えている遊技機。」
　
［相違点］
　特典抽選手段により、期間計測手段による計測値が所定値に到達した以降行われる、遊技者に所定の特典を提供するかの抽選について、本願発明では、「所定値」を抽選により決定する所定値決定手段を備えるのに対して、刊行物に記載された発明では、「所定値」をどのように決定するのか不明である点。
　
５　当審の判断
　上記相違点について検討する。
　遊技機の技術分野において、遊技性を向上させるために、期間計測手段による計測値が所定値に到達した以降に、遊技者に所定の有利な遊技状態を提供するかの抽選を行う遊技機において、抽選を行うまでの期間に相当する、期間計測手段による計測値が到達する「所定値」を抽選により決定することは、本願出願前に周知の技術事項である（例えば、特開２００２−３０６６８２号公報の「上記特典付与抽選では、単に特典付与の当否が決定されるだけでなく、当選時での
次回の特典付与抽選までのカウント値Ｃを３０、６０、９０のいずれかに決定する
遊技性をより高めることができる
抽選時期が
固定されている
遊技に変化がなく、面白くないと感じる者がいた
高純増特別遊技」とは、当選報知装置(140)による報知が行われる特別遊技であって
抽選時期決定手段180が、高純増移行抽選手段120の移行抽選を、所定回数の遊技のうち、何回目の遊技で行うかを乱数を用いた抽選により決定する
　したがって、刊行物に記載された発明において、遊技性を向上させるために、上記周知の技術事項に倣って、特典抽選手段により、期間計測手段による計測値が所定値に到達した以降行われる、遊技者に所定の特典を提供するかの抽選について、「所定値」を抽選により決定する所定値決定手段を備えることは、当業者が容易になし得たものである。
　また、本願発明の奏する効果についてみても、刊行物に記載された発明及び周知の技術事項から当業者が予測できた効果の範囲内のものである。
　したがって、本願発明は、刊行物に記載された発明及び周知の技術事項に基づいて当業者が容易に発明をすることができたものである。
　
６　むすび
　以上のとおりであるから、本願発明は、刊行物に記載された発明及び周知の技術事項から当業者が容易に発明をすることができたものであるので、特許法第２９条第２項の規定により特許を受けることができない。
　
　よって、結論のとおり審決する。